(57)【要約】【課題】先に集積した媒体に後から搬送されてきた媒体が追突してジャムを生じることを防止し、複数枚の媒体を一括して顧客に排出できるようにする。【解決手段】第２の搬送路２により搬送されてきた媒体Ｔを合流部Ｐから第１の搬送路１に送り込んで後端が合流部Ｐを通過するまで排出口側に搬送した後、第１の搬送路１を逆方向に駆動することで媒体Ｔをその後端が合流部Ｐを通過するまで逆送りし、第２の搬送路により搬送されてきた後続の媒体Ｔを合流部Ｐから第１の搬送路１に送り込んで、前記先行の媒体Ｔの下側に潜り込ませた後、第１の搬送路１により先行の媒体Ｔと後続の媒体Ｔをその後端が合流部Ｐを通過するまで排出口側に搬送する動作を繰り返して、複数の媒体Ｔをシャッター３の手前の位置に集積し、シャッター３を開いて複数枚の媒体Ｔを同時に排出する。【選択図】　　　　図１
2004131214.tif 000002
【特許請求の範囲】
【請求項１】
シャッターを設けた排出口から奥に向かって延伸するように設けられ、媒体を挟持して搬送する第１の搬送路と、この第１の搬送路の途中に斜め下方から合流して前記排出口から放出する媒体を挟持して搬送すると共に前記第１の搬送路に送り込む第２の搬送路を有する媒体排出機構において、
前記の第２の搬送路により搬送されてきた媒体を前記第１の搬送路との合流部から前記第１の搬送路に送り込んで、前記合流部上を覆うように停止させ、
前記第２の搬送路により搬送されてきた後続の媒体を前記合流部上を覆ように停止している先行の媒体の下側に潜り込ませ、当該先行の媒体の底面で後続の媒体を案内して重ねることにより複数の媒体を重ねて集積した後、前記シャッターを開いて複数枚の媒体を同時に排出することを特徴とする媒体排出機構。
【請求項２】
請求項１記載の媒体排出機構において、
前記の第２の搬送路により搬送されてきた媒体を前記第１の搬送路との合流部から前記第１の搬送路に送り込んで、前記媒体をその後端が前記合流部を通過するまで前記排出口側に搬送した後、前記第１の搬送路を逆方向に駆動することで前記媒体をその後端が前記合流部を通過するまで前記第１の搬送路内で逆送りして、前記媒体が前記合流部上を覆うように停止させ、
更に、前記の第２の搬送路により搬送されてきた後続の媒体を前記合流部から前記第１の搬送路に送り込んで、前記合流部上を覆ように停止している先行の媒体の下側に潜り込ませた後、前記第１の搬送路により先行の媒体と後続の媒体をその後端が前記合流部を通過するまで前記排出口側に搬送し、
このような動作を繰り返して、複数の媒体を前記シャッターの手前の位置に集積させることを特徴とする媒体排出機構。
【請求項３】
請求項１記載の媒体排出機構において、
前記の第２の搬送路により搬送されてきた媒体を前記第１の搬送路との合流部から前記第１の搬送路に送り込んで、前記媒体をその先端が前記シャッターに突き当たるまで搬送して停止させた後、前記第１の搬送路を逆方向に駆動することで前記媒体をその後端が前記合流部を通過するまで前記第１の搬送路内で逆送りして、前記媒体が前記合流部上を覆うよう停止させ、
その後、前記の第２の搬送路により搬送されてきた後続の媒体を前記合流部から前記第１の搬送路に送り込んで、前記合流部上を覆ように停止している先行の媒体の下側に潜り込ませた後、前記第１の搬送路により先行の媒体と後続の媒体をその先端が前記シャッターに突き当たるまで搬送して停止させ、
このような動作を繰り返して、複数の媒体を集積することを特徴とする媒体排出機構。
【請求項４】
請求項３記載の媒体排出機構において、
媒体をその先端が前記シャッターに突き当たるまで搬送して停止させた後の逆送りの搬送量は、排出される媒体のうちの最も長さが短い媒体の後端が前記合流部を通過できる量としたことを特徴とする媒体排出機構。
【請求項５】
請求項１記載の媒体排出機構において、
前記第１の搬送路と前記第２の搬送路との合流部付近で媒体を前記第２の搬送路上に押さえる押さえ部材を設けると共に、前記シャッターから前記押さえ部材までの距離は、排出される媒体のうちの最も長さが短い媒体の長さより短く設定し、
前記の第２の搬送路により搬送されてきた媒体を前記第１の搬送路との合流部から前記第１の搬送路に送り込んで、前記媒体をその先端が前記シャッターに突き当たるまで搬送して停止させた後、押さえ部材を媒体の後端を押さえる位置から一旦待避させた後に元の位置に戻すことにより前記媒体が前記合流部上を覆うようにし、
その後、前記の第２の搬送路により搬送されてきた後続の媒体を前記合流部から前記第１の搬送路に送り込んで前記合流部上を覆ように停止している先行の媒体の下側に潜り込ませた後、前記第１の搬送路により後続の媒体をその先端が前記シャッターに突き当たるまで搬送して停止させ、
このような動作を繰り返して、複数の媒体を集積することを特徴とする媒体排出機構。
【請求項６】
請求項５記載の媒体排出機構において、
前記押さえ部材は、媒体の面と平行な方向に回動可能に設けたことを特徴とする媒体排出機構。
【請求項７】
請求項５記載の媒体排出機構において、
押さえ部材は、２本の平行なアーム部を有する凹字形に形成すると共に、媒体の面と直交する方向に回転可能に設けられ、
最初に媒体から離れる方向に回転を始めると共に、前記アーム部間の部分で第２の搬送路を避けて１回転できるようにしたことを特徴とする媒体排出機構。
【発明の詳細な説明】
【０００１】
【発明の属する技術分野】
本発明は、媒体処理装置に装備される媒体排出機構に関するもので、特に長さの異なる媒体を排出する媒体排出機構に関するものである。
【０００２】
【従来の技術】
媒体処理装置として所定の媒体（券紙）に磁気データの書き込みや印字等を施し、乗物の乗車券や搭乗券、あるいは、特急券、座席指定券、定期券等の各種の券として発行する発券プリンタや、用紙等の媒体に印字等を施して証書あるいは帳票として発行するプリンタ等がある。
【０００３】
これらの媒体処理装置には前記券や証書等の媒体を排出する媒体排出機構が装備されている。
図１０は従来のこの種の媒体排出機構の側面図で、図において１は媒体を挟持して搬送する第１の搬送路、２は同じく媒体を挟持して搬送する第２の搬送路で、この第１の搬送路１及び第２の搬送路２は、それぞれモーターを駆動源として駆動されるプーリに巻き掛けられて張設支持された搬送ベルト及びこの搬送ベルトに当接させたローラ等により構成されている。
【０００４】
３は排出口に設けられたシャッター、４は顧客が取り忘れた媒体を収納する収納部である。
第１の搬送路１は排出口から奥に向かって延伸するように配置されていて、その後端には収納部４が設けられており、そしてこの第１の搬送路１の途中に第２の搬送路２が斜め下方から合流している。
【０００５】
ここで、第１の搬送路１と第２の搬送路２の合流部Ｐからシャッター３までの距離は、当該処理装置で処理する最長の媒体の長さ以上になるように設定されている。
この構成において、媒体処理装置内の図示しない磁気データ処理部や印字部で磁気データの書き込みや印字等の処理が行われた媒体は、第２の搬送路２により搬送されて第１の搬送路１にその斜め下方から送りこまれ、第１の搬送路１により一定量搬送されてシャッター３の手前で停止される。
【０００６】
その後、図示しないソレノイド等によりシャッター３が駆動されて開き、媒体はその先端が排出口から突出するように第１の搬送路１により搬送される。
そして、この媒体が顧客により抜き取られ、それを図示しないセンサにより検出すると、図示しないスプリング等の付勢力によりシャッター３が閉じられ、１枚の媒体の排出が終了する。
【０００７】
媒体の抜き取りが一定時間行われない場合は、第１の搬送路１が前記の搬送方向と逆方向に駆動され、これにより媒体は第１の搬送路１を逆送りされて収納部４に収納される。
【０００８】
【発明が解決しようとする課題】
しかしながら上述した従来の技術では、例えば１人の顧客に対して複数枚の媒体を排出する場合でも、１枚ずつ排出口から発行するため、顧客は枚数を間違え易く、そのため本来受け取る枚数を受け取らずに帰ってしまい、取り忘れを発し易いという問題がある。
【０００９】
このような取り忘れを防止するために、１人の顧客に対して発行する複数枚の媒体をシャッターの内側に順次集積し、その後一括して排出口から発行することが考えられるが、この場合、先にシャッターの内側に集積した媒体に後から搬送されてきた媒体が追突し、互いに折れ曲がってジャムを生じてしまうという問題がある。
【００１０】
本発明は、このような問題を解決することが可能な媒体排出機構を実現することを目的とするものである。
【００１１】
【課題を解決するための手段】
そのため、本発明は、シャッターを設けた排出口から奥に向かって延伸するように設けられ、媒体を挟持して搬送する第１の搬送路と、この第１の搬送の途中に斜め下方から合流して前記排出口から放出する媒体を挟持して搬送すると共に前記第１の搬送路に送り込む第２の搬送路を有する媒体排出機構において、前記の第２の搬送路により搬送されてきた媒体を前記第１の搬送路との合流部から前記第１の搬送路に送り込んで、前記合流部上を覆うように停止させ、前記第２の搬送路により搬送されてきた後続の媒体を前記合流部上を覆ように停止している先行の媒体の下側に潜り込ませ、当該先行の媒体の底面で後続の媒体を案内して重ねることにより複数の媒体を重ねて集積した後、前記シャッターを開いて複数枚の媒体を同時に排出することを特徴とする。
【００１２】
【発明の実施の形態】
以下、図面を参照して本発明による媒体排出機構の実施の形態について説明する。
図１は第１の実施の形態を示す概略側面図であり、図において１は第１の搬送路、２は第２の搬送路、３はシャッター、４は収納部で、これらは従来のものと同一のものであるが、ここでは省略して示している。
【００１３】
次に、１人の顧客に対して複数枚の媒体を排出する場合の動作について説明するが、以下の動作は第１の搬送路１及び第２の搬送路２により搬送される媒体を検知する図示しないセンサの検知信号等に基づいて図示しない制御手段により制御されるものとする。
まず、媒体処理装置内の図示しない磁気データ処理部や印字部で磁気データの書き込みや印字等の処理が行われた１枚目の媒体Ｔが第２の搬送路２により搬送され、図１（ａ）に示したように第１の搬送路１にその斜め下方から送りこまれる。
【００１４】
そして媒体Ｔは、図１（ｂ）に示したようにその後端が第１の搬送路１と第２の搬送路２の合流部Ｐを通過するまで排出口側に搬送され、シャッター３の手前で停止される。
このときの媒体Ｔの搬送量は、第１の搬送路１または第２の搬送路２に設置されたセンサからの信号に基づいてモーターの回転量等を制御することにより正確に制御することができる。
【００１５】
続いて、第１の搬送路１が前記の搬送方向と逆方向に駆動され、これにより媒体Ｔは図１（ｃ）に示したようにその後端が合流部Ｐを通過して一定距離だけ進むように逆送りされた後、停止される。
尚、この逆送り時の媒体Ｔの搬送量も、モーターの回転量等を制御することで正確に制御することができる。
【００１６】
その後、２枚目の媒体Ｔに磁気データ処理部や印字部で磁気データの書き込みや印字等の処理が行われ、この２枚目の媒体Ｔが第２の搬送路２により搬送されてくる。
このとき、１枚目の媒体Ｔは合流部Ｐを覆うように第１の搬送路１に停止しているので、第２の搬送路２により搬送されてきた２枚目の媒体Ｔは図１（ｄ）に示したように１枚目の媒体Ｔに下側に潜り込むように第１の搬送路１に送り込まれる。
【００１７】
このとき第１の搬送路１は停止しており、従って２枚目の媒体Ｔのみが第２の搬送路２により搬送されるため、２枚目の媒体Ｔは１枚目の媒体Ｔの底面で案内され、その底面を滑るように排出口側に進んで行く。
そして、２枚目の媒体Ｔの先端が１枚目の媒体Ｔの先端の位置に達する程度まで２枚目の媒体Ｔが搬送されると、第１の搬送路１が駆動され、これにより図１（ｅ）に示したように１枚目の媒体Ｔと２枚目の媒体Ｔが重なった状態で排出口側に搬送される。
【００１８】
この場合の搬送は２枚目の媒体Ｔの後端が合流部Ｐを通過するまで排出口側に搬送され、そして図１（ｆ）に示したように１枚目と２枚目の２枚の媒体Ｔはシャッター３の手前で停止される。
３枚目以降の媒体がある場合は、第１の搬送路１が前記の搬送方向と逆方向に駆動され、これにより２枚の媒体Ｔは図１（ｇ）に示したようにその後端が合流部Ｐを通過して一定距離だけ進むように逆送りされた後、停止される。
【００１９】
その後、３枚目の媒体Ｔに対して、２枚目の媒体Ｔを１枚目の媒体Ｔに重ねた場合と同様に図１（ｄ）〜図１（ｆ）の動作が繰り返され、最終的にシャッター３が開かれて複数枚の媒体Ｔが同時に顧客に排出される。
以上の第１の実施の形態によれば、先に排出口付近まで搬送した媒体をその後端が第１の搬送路１と第２の搬送路２の合流部Ｐを通過するように逆送りし、これにより次の媒体が前の媒体の下側に入り込むように制御するため、先に集積した媒体に後から搬送されてきた媒体が追突してジャムを生じるというような事態を防止することができ、複数枚の媒体を一括して顧客に発行できるという効果が得られる。
【００２０】
図２は第２の実施の形態を示す概略側面図である。
乗物の乗車券や搭乗券、あるいは、特急媒体、座席指定媒体、定期等の媒体は各々長さが異なるので、このような長さの異なる媒体を複数枚同時に排出する場合に本実施の形態は好適なものである。
尚、この第２の実施の形態の構成は第１の実施の形態と同様であり、以下に説明する動作も第１の実施の形態と同様に、第１の搬送路１及び第２の搬送路２により搬送される媒体を検知する図示しないセンサの検知信号等に基づいて図示しない制御手段により制御されるものとする。
【００２１】
まず、媒体処理装置内の図示しない磁気データ処理部や印字部で磁気データの書き込みや印字等の処理が行われた１枚目の媒体Ｔが第２の搬送路２により搬送され、図２（ａ）に示したように第１の搬送路１にその斜め下方から送りこまれて、図２（ｂ）に示したように媒体Ｔの先端がシャッター３に付き当てられて停止される。
【００２２】
このときの媒体Ｔの搬送量の制御は、第１の搬送路１または第２の搬送路２に設置されたセンサからの信号に基づいてモーターの回転量等を制御することで行われる。
続いて、第１の搬送路１が前記の搬送方向と逆方向に駆動され、これにより媒体Ｔは図２（ｃ）に示したようにその後端が合流部Ｐを通過するように逆送りされた後、停止される。
【００２３】
この実施の形態での逆送りの搬送量は、当該媒体処理装置から排出される媒体のうち、最も長さが短い媒体の先端がシャッター３に付き当てられた状態から、その後端が合流部Ｐを通過して一定距離だけ進むように設定されている。
尚、この逆送り時の媒体Ｔの搬送量も、モーターの回転量等を制御することで正確に制御することができる。
【００２４】
その後、２枚目の媒体Ｔに磁気データ処理部や印字部で磁気データの書き込みや印字等の処理が行われ、この２枚目の媒体Ｔが第２の搬送路２により搬送されてくる。
このとき、１枚目の媒体Ｔは合流部Ｐを覆うように第１の搬送路１に停止しているので、第２の搬送路２により搬送されてきた２枚目の媒体Ｔは図２（ｄ）に示したように１枚目の媒体Ｔに下側に潜り込むように第１の搬送路１に送り込まれる。
【００２５】
このとき第１の搬送路１は停止しており、従って２枚目の媒体Ｔのみが第２の搬送路２により搬送されるため、２枚目の媒体Ｔは１枚目の媒体Ｔの底面で案内され、その底面を滑るように排出口側に進んで行く。
そして、２枚目の媒体Ｔの先端が１枚目の媒体Ｔの先端の位置に達する程度まで２枚目の媒体Ｔが搬送されると、第１の搬送路１が駆動される。
【００２６】
これにより図２（ｅ）に示したように１枚目の媒体Ｔと２枚目の媒体Ｔが重なった状態で排出口側に搬送され、そして図２（ｆ）に示したように１枚目と２枚目の２枚の媒体Ｔの先端がシャッター３に付き当てられて停止される。
このシャッター３への付き当てにより１枚目の媒体Ｔと２枚目の媒体Ｔの先端が揃えられる。
【００２７】
３枚目以降の媒体がある場合は、第１の搬送路１が前記の搬送方向と逆方向に駆動され、これにより２枚の媒体Ｔは図２（ｇ）に示したようにその後端が合流部Ｐを通過するように逆送りされた後、停止される。
この場合も、当該媒体処理装置から排出される媒体のうち、最も長さが短い媒体の先端がシャッター３に付き当てられた状態から、その後端が合流部Ｐを通過して一定距離だけ進むよう逆送りされるので、図示したように１枚目の媒体Ｔより２枚目の媒体Ｔの長さが短い場合でも、２枚目の媒体Ｔの後端は確実に合流部Ｐを通過し、これにより２枚目の媒体Ｔは合流部Ｐを覆うように第１の搬送路１に停止する。
【００２８】
その後、３枚目の媒体Ｔに対して、２枚目の媒体Ｔを１枚目の媒体Ｔに重ねた場合と同様に図２（ｄ）〜図２（ｆ）の動作が繰り返され、最終的にシャッター３が開かれて複数枚の媒体Ｔが同時に顧客に排出される。
以上説明した第２の実施の形態によれば、第１の実施の形態と同様の効果が得られる他、以下の効果も得られる。
【００２９】
すなわち、本実施の形態では、媒体の先端をシャッターに付き当ててから逆送りしているため、媒体を逆送りする際の搬送量の制御を確実に行うことが可能となり、その逆送り時の搬送量を最も長さの短い媒体の後端が第１の搬送路と第２の搬送路の合流部を通過して一定距離だけ進む量に設定しているため、長さが異なる媒体を複数枚排出する場合、それらの媒体を重ねて円滑に排出することができると共に、媒体の先端をシャッターに付き当てることで各媒体の先端を揃えられるので、見た目が良く、受け取る顧客に好印象を与えることができる。
【００３０】
図３は第３の実施の形態を示す側面図で、図示したようにこの実施の形態は、第１の搬送路１と第２の搬送路２の合流部Ｐ付近において、第２の搬送路２上に媒体Ｔをその搬送を妨げないように押さえる押さえ部材５を配置したものである。
ここで、排出口のシャッター３から押さえ部材５までの距離は、当該媒体処理装置から排出される媒体のうち、最も長さの短い媒体の長さより短くし、この最も長さの短い媒体の先端をシャッター３に付き当てたとき、媒体の後端が押さえ部材５が押さえられる位置にくるようにしている。
【００３１】
図４は押さえ部材５を図３に示した矢印Ａ方向から見た図で、押さえ部材５は後端側の軸５ａを支点として媒体面と平行に回転できるようになっている。
この押さえ部材５の駆動源としては、ソレノイドとスプリング、あるいはモーター等を用いることができる。
図５は第３の実施の形態の動作を示す側面図、図６は押さえ部材５を図５に示した矢印Ａ方向から見た図で、これらの図を用いて作用を説明する。
【００３２】
尚、第１の搬送路１はプーリに巻き掛けられて張設支持された上下の搬送ベルト１ａ、１ｂ及びローラにより構成され、各々独立して駆動できるようになっているものとする。
また、以下に説明する動作も第１，第２の実施の形態と同様に、第１の搬送路１及び第２の搬送路２により搬送される媒体を検知する図示しないセンサの検知信号等に基づいて図示しない制御手段により制御されるものとする。
【００３３】
まず、媒体処理装置内の図示しない磁気データ処理部や印字部で磁気データの書き込みや印字等の処理が行われた１枚目の媒体Ｔが第２の搬送路２により搬送され、第１の搬送路１にその斜め下方から送りこまれる。そして、この第１の搬送路１の搬送ベルト１ａ、１ｂにより挟持されて搬送され、その先端がシャッター３に付き当てられて停止される。
【００３４】
この時の媒体Ｔの搬送量の制御は、第１の搬送路１または第２の搬送路２に設置されたセンサからの信号に基づいてモーターの回転量等を制御することで行われる。
この状態では、媒体Ｔの後端は押さえ部材５により押さえられているので、続いてこの押さえ部材５が図示しない駆動源により駆動され、これにより押さえ部材５が図６に示すように軸５ａを支点として媒体Ｔの面と平行に回転して媒体Ｔ上から外れる。
【００３５】
そのため、媒体Ｔの後端は、媒体自身の腰の強さにより元の直線状の形状に戻ろうとする力により上側に撥ね上がり、その後、押さえ部材５が元の位置に戻されて１枚目の媒体Ｔの集積が終了する。
この押さえ部材５の回転動作終了後、２枚目の媒体Ｔに磁気データ処理部や印字部で磁気データの書き込みや印字等の処理が行われ、この２枚目の媒体Ｔが第２の搬送路２により搬送されてくる。
【００３６】
このとき、１枚目の媒体Ｔは合流部Ｐを覆うように第１の搬送路１に停止しているので、第２の搬送路２により搬送されてきた２枚目の媒体Ｔは１枚目の媒体Ｔに下側に潜り込むように第１の搬送路１に送り込まれ、そして、ここで第１の搬送路１の下側の搬送ベルト１ｂが第２の搬送路２と同じ速度で駆動される。
これにより２枚目の媒体Ｔは１枚目の媒体Ｔの底面で案内され、図３に示したようにその先端がシャッター３に付き当たるまで送られた後、停止される。
【００３７】
この場合も、２枚目の媒体Ｔの後端は押さえ部材５により押さえられているので、この押さえ部材５が図示しない駆動源により駆動され、これにより押さえ部材５が図６に示したように軸５ａを支点として媒体面と平行に回転して媒体Ｔ上から外れる。
そのため、この２枚目の媒体Ｔも１枚目の媒体Ｔと同様に、後端が媒体自身の腰の強さにより元の直線状の形状に戻ろうとする力により上側に撥ね上がり、その後、押さえ部材５が元の位置に戻されて２枚目の媒体Ｔの集積が終了する。
【００３８】
３枚目以降の媒体がある場合も上記と同様の動作により集積が行われ、最終的にシャッター３が開かれて複数枚の媒体Ｔが同時に顧客に排出される。
以上説明した第３の実施の形態でも、先に集積した媒体に後から搬送されてきた媒体が追突してジャムを生じるというような事態を防止することができ、複数枚の媒体を一括して顧客に排出できるという効果が得られる。
【００３９】
また、この第３の実施の形態では、排出口のシャッターから第１の搬送路１と第２の搬送路２の合流部までの距離と、当該媒体処理装置から排出する媒体のうち、最も長さの短い媒体の長さ以下にできるので、搬送路長が短くなり、装置の小型化が可能になるという効果も得られる。
図７は第４の実施の形態を示す側面図である。
【００４０】
この実施の形態は第３の実施の形態の押さえ部材５に変えて押さえ部材６を配置したもので、その他の構成は第３の実施の形態と同様であるので、同一の符号を付し、その説明を省略する。
図８は押さえ部材６を図７に示した矢印Ａ方向から見た図で、図示したようにこの押さえ部材６は凹字形に形成されており、この凹字形の先端側が成す２本の平行なアーム部６ａ，６ｂ間の間隔は第２の搬送路２の幅よりも若干大きくかつ媒体Ｔの幅より小さくなっている。
【００４１】
また、押さえ部材６の後部側には軸６ｃが設けられており、この軸６ｃを支点として押さえ部材６は媒体面と直交する方向に回転するが、その際アーム部６ａ，６ｂ間で第２の搬送路２を避けるようになっていて、これにより図６において反時計方向に１回転できるようになっている。
この押さえ部材６の駆動源としてはモーター等が用いられ、ギアあるいはベルトアンドプーリ等の機構を介して軸６ｃが回転する。
【００４２】
図９は第４の実施の形態の動作を示す側面図、図７，図８とこの図９を用いて作用を説明する。
また、以下に説明する動作も上記各実施の形態と同様に、第１の搬送路１及び第２の搬送路２により搬送される媒体を検知する図示しないセンサの検知信号等に基づいて図示しない制御手段により制御されるものとする。
【００４３】
まず、媒体処理装置内の図示しない磁気データ処理部や印字部で磁気データの書き込みや印字等のための処理が行われた１枚目の媒体Ｔが第２の搬送路２により搬送され、合流部Ｐで第１の搬送路１に斜め下方から送りこまれる。
このとき押さえ部材６はその先端が第２の搬送路２よりやや浮き上がった位置に保持されており、従って媒体Ｔは押さえ部材６の先端と第２の搬送路２との間を通ってスムーズに合流部Ｐから第１の搬送路１に進入する。
【００４４】
そして、この第１の搬送路１の搬送ベルト１ａ、１ｂにより挟持されて搬送され、その先端がシャッター３に付き当てられて停止される。
この時の媒体Ｔの搬送量の制御は、第１の搬送路１または第２の搬送路２に設置されたセンサからの信号に基づいてモーターの回転量等を制御することで行われる。
【００４５】
この状態では、媒体Ｔの後端は押さえ部材６により押さえられているので、続いてこの押さえ部材６が図示しない駆動源により駆動され、これにより押さえ部材６が図６に示すように軸６ｃを支点として媒体Ｔから離れるよう反時計方向に回転する。
そのため、媒体Ｔの後端は、媒体Ｔ自身の腰の強さにより元の直線状の形状に戻ろうとする力により上側に撥ね上がり、そして押さえ部材６は１回転して元の位置に戻って１枚目の媒体Ｔの集積が完了する。
【００４６】
尚、このように押さえ部材６は１回転するので、媒体Ｔ自身に腰の強さに頼ることなく媒体Ｔの後端をアーム部６ａ，６ｂで強制的に第１の搬送路１の上側の搬送ベルト１ａ方向に押し上げることも可能であり、従って媒体Ｔの腰が弱くても、媒体Ｔを後端が押さえ部材６上に移動するように集積することができる。
この押さえ部材５の回転動作終了後、２枚目の媒体Ｔに磁気データ処理部や印字部で磁気データの書き込みや印字等の発媒体のための処理が行われ、この２枚目の媒体Ｔが第２の搬送路２により搬送されてくる。
【００４７】
このとき、１枚目の媒体Ｔは合流部Ｐを覆うように第１の搬送路１に停止しているので、第２の搬送路２により搬送されてきた２枚目の媒体Ｔは１枚目の媒体Ｔに下側に潜り込むように第１の搬送路１に送り込まれ、そして、ここで第１の搬送路１の下側の搬送ベルト１ｂが第２の搬送路２と同じ速度で駆動される。
これにより２枚目の媒体Ｔは１枚目の媒体Ｔの底面で案内され、図７に示したようにその先端がシャッター３に付き当たまで送られた後、停止される。
【００４８】
この場合も、２枚目の媒体Ｔの後端は押さえ部材５により押さえられているので、この押さえ部材５が図示しない駆動源により駆動され、これにより押さえ部材６が軸６ｃを支点として反時計方向に１回転する。
そのため、この２枚目の媒体Ｔも１枚目の媒体Ｔと同様に、後端が媒体Ｔ自身の腰の強さにより元の直線状の形状に戻ろうとする力により上側に撥ね上がり、そして押さえ部材６は１回転して元の位置に戻って２枚目の媒体Ｔの集積が完了する。
【００４９】
尚、このように押さえ部材６は１回転するので、媒体Ｔ自身に腰の強さに頼ることなく媒体Ｔの後端をアーム部６ａ，６ｂで強制的に第１の搬送路１の上側の搬送ベルト１ａ方向に押し上げることも可能であり、従って媒体Ｔの腰が弱くても、媒体Ｔを後端が押さえ部材６上に移動するように集積することができる。
３枚目以降の媒体がある場合も上記と同様の動作により集積が行われ、最終的にシャッター３が開かれて複数枚の媒体Ｔが同時に顧客に排出される。
【００５０】
以上説明した第４の実施の形態も、第３の実施の形態と同様の効果が得られ、しかもこの第４の実施の形態では、押さえ部材が１回転して媒体の後端をアーム部で強制的に押し上げることも可能であるので、腰の弱い媒体でも支障無く複数枚集積して排出することができるという効果が得られる。
【００５１】
【発明の効果】
以上説明したように、本発明によれば、先に集積した媒体に後から搬送されてきた後続の媒体が追突してジャムを生じるというような事態を防止して、複数枚の媒体をスムーズに重ねられるようにしているため、複数枚の媒体を一括して顧客に排出できるという効果が得られる。
【図面の簡単な説明】
【図１】第１の実施の形態を示す概略側面図
【図２】第２の実施の形態を示す概略側面図
【図３】第３の実施の形態を示す側面図
【図４】押さえ部材を図３における矢印Ａ方向から見た図
【図５】第３の実施の形態の動作を示す側面図
【図６】押さえ部材を図５における矢印Ａ方向から見た図
【図７】第４の実施の形態の動作を示す側面図
【図８】押さえ部材を図７における矢印Ａ方向から見た図
【図９】第４の実施の形態の動作を示す側面図
【図１０】従来例を示す側面図
【符号の説明】
１　第１の搬送路
１ａ　上側の搬送ベルト
１ｂ　下側の搬送ベルト
２　第２の搬送路
３　シャッター
４　収納部
５　押さえ部材
６　押さえ部材
【図１】
2004131214.tif 000003
【図２】
2004131214.tif 000004
【図３】
2004131214.tif 000005
【図４】
2004131214.tif 000006
【図５】
2004131214.tif 000007
【図６】
2004131214.tif 000008
【図７】
2004131214.tif 000009
【図８】
2004131214.tif 000010
【図９】
2004131214.tif 000011
【図１０】
2004131214.tif 000012